(57)【要約】【課題】内外輪が軸方向に相対移動可能な転がり軸受であっても、その非繰返し振れを精度よく測定できる転がり軸受の非繰返し振れ測定装置を提供することである。【解決手段】内輪７を回転軸１と一体に取り付けて、外輪８を筒状のケース５の内周側に固定し、ケース５を回り止めして、その軸方向端面を空気軸受４で半径方向へ移動自在に支持し、このケース５の半径方向振れを、転がり軸受の半径方向振れとして変位センサ６で検出することにより、内外輪７、８が軸方向に相対移動可能な転がり軸受であっても、その軸方向への相対ずれを規制して、非繰返し振れを精度よく測定できるようにした。【選択図】  図２
2004271212.tif 000002
【特許請求の範囲】
【請求項１】
転がり軸受の内外輪のいずれか一方を回り止めして、他方を回転軸と一体に取り付け、この回転軸を所定の回数回転させて、その１回転毎の転がり軸受の半径方向振れを検出し、各回転における所定の回転位置での転がり軸受の半径方向振れ幅を測定する転がり軸受の非繰返し振れ測定装置において、前記内輪を回転軸と一体に取り付けて、前記外輪を筒状のケースの内周側に固定し、このケースを回り止めして、その軸方向端面を空気圧または複数のボールにより、半径方向へ移動自在に支持し、このケースの半径方向振れを、前記転がり軸受の半径方向振れとして検出するようにしたことを特徴とする転がり軸受の非繰返し振れ測定装置。
【請求項２】
前記転がり軸受が、内外輪のいずれか一方に鍔がない円筒ころ軸受である請求項１に記載の転がり軸受の非繰返し振れ測定装置。
【発明の詳細な説明】
【０００１】
【発明の属する技術分野】
この発明は、転がり軸受の非繰返し振れ測定装置に関するものである。
【０００２】
【従来の技術】
ディスクドライブ装置等においては、ディスクに情報を書き込んだり、ディスクから情報を読み取ったりするときに、ディスクの回転毎に半径方向のずれがあると、情報の書き込み精度や読み取り精度に支障を来す。このため、このようなディスクドライブ装置等の回転軸を支持する転がり軸受には、半径方向の非繰返し振れに対して厳しい精度が要求される。
【０００３】
この転がり軸受の非繰返し振れを測定する非繰返し振れ測定装置としては、外輪を軸受箱に回り止め保持して、内輪を空気軸受で支持された回転軸と一体に取り付け、回転軸の１回転毎の半径方向振れを変位センサで検出するようにしたものや、内輪を固定軸に回り止め支持して、外輪を空気軸受で支持された回転軸と一体に取り付け、外輪の１回転毎の半径方向振れを変位センサで検出するようにしたものがある（例えば、特許文献１参照。）。なお、特許文献１に記載されたものでは、回り止めされる側の軌道輪も低速回転させ、軸受の全周囲で半径方向振れ幅を測定できるようにしている。
【０００４】
前記変位センサで検出される軸受の半径方向振れは、フィルタで回転周波数成分を除去されて、回転軸の回転計の出力とともに高速フーリエ変換分析器に入力され、軸受の各回転位置での半径方向振れ幅が算出される。
【０００５】
【特許文献１】
特許公報第２８２０６９７号（第２−３頁、第１−５図）
【０００６】
【発明が解決しようとする課題】
転がり軸受には、内外輪のいずれか一方に鍔がないタイプの円筒ころ軸受のように、内外輪が軸方向に相対移動可能なものがある。しかしながら、上述した従来の非繰返し振れ測定装置は、内外輪の軸方向へのずれを規制する機能がないので、このような内外輪が軸方向へ相対移動する転がり軸受は、非繰返し振れを精度よく測定できない問題があった。
【０００７】
そこで、この発明の課題は、内外輪が軸方向に相対移動可能な転がり軸受であっても、その非繰返し振れを精度よく測定できる転がり軸受の非繰返し振れ測定装置を提供することである。
【０００８】
【課題を解決するための手段】
上記の課題を解決するために、この発明は、転がり軸受の内外輪のいずれか一方を回り止めして、他方を回転軸と一体に取り付け、この回転軸を所定の回数回転させて、その１回転毎の転がり軸受の半径方向振れを検出し、各回転における所定の回転位置での転がり軸受の半径方向振れ幅を測定する転がり軸受の非繰返し振れ測定装置において、前記内輪を回転軸と一体に取り付けて、前記外輪を筒状のケースの内周側に固定し、このケースを回り止めして、その軸方向端面を空気圧または複数のボールにより、半径方向へ移動自在に支持し、このケースの半径方向振れを、前記転がり軸受の半径方向振れとして検出する構成を採用した。
【０００９】
すなわち、内輪を回転軸と一体に取り付けて、外輪を筒状のケースの内周側に固定し、このケースを回り止めして、その軸方向端面を空気圧または複数のボールで半径方向へ移動自在に支持し、このケースの半径方向振れを、転がり軸受の半径方向振れとして検出することにより、内外輪が軸方向に相対移動可能な転がり軸受であっても、内外輪の軸方向へのずれを規制して、その非繰返し振れを精度よく測定できるようにした。
【００１０】
上記転がり軸受の非繰返し振れ測定装置は、内外輪のいずれか一方に鍔がない円筒ころ軸受の測定に好適である。
【００１１】
【発明の実施の形態】
以下、図１乃至図５に基づいて、この発明の実施形態を説明する。図１乃至図４は、第１の実施形態を示す。この転がり軸受の非繰返し振れ測定装置は、図１および図２に示すように、モータ（図示省略）で高速回転される回転軸１と、基台２に固定されたハウジング３に回り止めされ、軸方向端面を空気軸受４で半径方向へ移動自在に支持された円筒状のケース５と、ケース５の外周面の半径方向振れを検出する基台２に固定された変位センサ６とで基本的に構成され、回転軸１に転がり軸受の内輪７が取り付けられ、ケース５の内周側に外輪８が固定されるようになっている。この実施形態では、内輪７が鍔を有し、外輪８に鍔のない複列円筒ころ軸受が測定のために装着されている。
【００１２】
前記内輪７は、その内径寸法に応じて交換可能なリング部材９を介して、回転軸１と一体に取り付けられている。リング部材９は、締め付けリング１０で回転軸１に回り止めされている。
【００１３】
前記ケース５は、空気供給口４ａからの圧縮空気を空気噴出口４ｂから噴出する空気軸受４により、その上下軸方向端面を浮かされて、半径方向へ移動自在に支持されるとともに、図３に示すように、その外周面に螺着された棒状のストッパ１１をハウジング３に設けられた窓１２に挿入して回り止めされている。なお、ケース５は外輪８の外径寸法に応じて交換可能とされている。
【００１４】
前記変位センサ６は非接触式のものであり、ハウジング３に設けられた窓１３から挿入された検出端子６ａが、先端をケース５の外周面に近接させて向けられている。変位センサ６の検出出力は、フィルタ１４で回転周波数成分を除去されて、回転軸１の回転計１５の出力とともに高速フーリエ変換分析器１６に入力され、図４に示すように、所定の回転回数に対する軸受の各回転位置での半径方向振れ幅δが算出されるようになっている。
【００１５】
図５は、第２の実施形態を示す。この非繰返し振れ測定装置は、基本的な構成は第１の実施形態のものと同じであり、外輪８を固定するケース５の上下軸方向端面が、円周方向に配列された複数のボール１７で半径方向へ移動自在に支持されている点のみが異なる。その他の部分は、第１の実施形態と同じであるので、図２と同じ符号で表示した。
【００１６】
上述した各実施形態では、外輪に鍔のない内外輪が軸方向に相対移動可能な円筒ころ軸受を測定する例を示したが、本発明に係る非繰返し振れ測定装置は、内外輪が軸方向に相対移動しない玉軸受等も測定することができる。
【００１７】
【発明の効果】
以上のように、この発明の転がり軸受の非繰返し振れ測定装置は、内輪を回転軸と一体に取り付けて、外輪を筒状のケースの内周側に固定し、このケースを回り止めして、その軸方向端面を空気圧または複数のボールで半径方向へ移動自在に支持し、このケースの半径方向振れを、転がり軸受の半径方向振れとして検出するようにしたので、内外輪が軸方向に相対移動可能な転がり軸受であっても、内外輪の軸方向へのずれを規制して、その非繰返し振れを精度よく測定することができる。
【図面の簡単な説明】
【図１】第１の実施形態の非繰返し振れ測定装置を示す平面図
【図２】図１の縦断面図
【図３】図１のＩＩＩ  −ＩＩＩ  線に沿った断面図
【図４】図１の非繰返し振れ測定装置で測定された軸受の非繰返し半径方向振れ幅の例を示すグラフ
【図５】第２の実施形態の非繰返し振れ測定装置を示す縦断面図
【符号の説明】
１  回転軸
２  基台
３  ハウジング
４  空気軸受
４ａ  空気供給口
４ｂ  空気噴出口
５  ケース
６  変位センサ
６ａ  検出端子
７  内輪
８  外輪
９  リング部材
１０  締め付けリング
１１  ストッパ
１２、１３  窓
１４  フィルタ
１５  回転計
１６  高速フーリエ分析器
１７  ボール
【図１】
2004271212.tif 000003
【図２】
2004271212.tif 000004
【図３】
2004271212.tif 000005
【図４】
2004271212.tif 000006
【図５】
2004271212.tif 000007